(57)【要約】チャンバを形成する一連のブロックを備えた、液体媒体の等電点電気泳動により成分の混合物を分離する電解槽。上記チャンバは、ｐＨが既知の等電位のメンブレンにより区分可能になっている。上記一連のチャンバの各端部に端部チャンバが配置されている。上記ブロックが４本のタイロッドで互いに圧着されることにより、装置は略液密となる。各端部チャンバには、上記一連のチャンバに電界を印加する際に用いられる電極が設けられている。上記タイロッドのうちの１本は導電性であり、装置の一方の端部に位置する電極から装置の反対側の端部へ電流を流す。上記タイロッドに張力をかけるとともに、液密となるように上記端部ブロック間において上記チャンバを互いに圧着するレバー操作式の圧着機構が設けられている。
2005504306.tif 000002
【特許請求の範囲】
【請求項１】
ｐＨが既知の等電位のメンブレンにより区分可能なチャンバを形成する一連のブロックと、
上記一連のチャンバの各端部に配置された端部チャンバと、
上記ブロック同士を互いに圧着して装置を略液密にする際に用いられる少なくとも２本のタイロッドと、
上記一連のチャンバに電界を印加する際に用いられる電極とを備えている、液体媒体の等電点電気泳動により成分の混合物を分離する装置であって、
上記タイロッドのうちの少なくとも１本は導電性であって、装置の一方の端部に位置する電極から装置の反対側の端部へ電流を流すことを特徴とする装置。
【請求項２】
上記導電性のタイロッドは、その長さ方向に沿った大部分が絶縁体に覆われた金属製ロッドである請求項２に記載の装置。
【請求項３】
上記導電性のタイロッドは鋼鉄製ロッドである請求項２に記載の装置。
【請求項４】
４本のタイロッドを備えている請求項１〜３のいずれか１つに記載の装置。
【請求項５】
メンブレンにより区分可能でありかつ水密の構成に互いに圧着可能なチャンバを形成する一連のブロックを備えているとともに、端部ブロックを備えており、
上記端部ブロック間において、上記一連のチャンバが、上記ブロックを貫通して延びる複数のタイロッドによって保持可能になっている、液体媒体の等電点電気泳動により成分の混合物を分離する装置であって、
上記タイロッドに張力をかけるとともに、液密となるように上記端部ブロック間において上記チャンバを互いに圧着するレバー操作式の圧着機構が設けられていることを特徴とする装置。
【請求項６】
上記タイロッドに張力をかけるとともに、液密となるように上記端部ブロック間において上記チャンバを互いに圧着するレバー操作式の圧着機構が設けられている請求項１〜４のいずれか１つに記載の装置。
【請求項７】
上記各タイロッドの一端は、装置の一方の端部ブロックに対して固定されている請求項５又は６のいずれか１つに記載の装置。
【請求項８】
上記各タイロッドの他端には拡大端部が形成されており、
装置の他方の端部ブロックは、ハウジングと、該ハウジングに対して移動可能なプレートとを備えており、
上記プレートは、上記タイロッドの先端部を受け入れるように構成された一連の開口が形成されているとともに、上記タイロッドの拡大部と係合し、
上記圧着手段は、カム機構等により上記プレートを上記ハウジングから離して上記ロッドに張力をかけるように構成されている請求項７に記載の装置。
【請求項９】
上記開口は、略鍵穴状である請求項８に記載の装置。
【請求項１０】
上記タイロッドの先端部と上記プレートとの係合は、ねじり嵌めによるものであり、
上記タイロッドが挿入される上記プレートは、装置に対して回転可能にオフセットされるとともに、該プレートの断面と上記ブロックとが位置合わせされて、上記鍵穴状開口の狭幅部の後方で上記タイロッドの拡大部に係合するように回転可能になっている請求項９に記載の装置。
【請求項１１】
チャンバを形成する一連のブロックを備えており、
上記チャンバは、上記ブロックの前面及び後面において開口しているとともに、隣接する上記ブロック間に配置されたメンブレンにより区分可能になっており、
上記ブロックは、水密の構成に互いに圧着可能になっている、液体媒体の等電点電気泳動により成分の混合物を分離する装置であって、
上記メンブレンは座金に保持されており、
上記各座金には、メンブレンを受け入れかつ該メンブレンを上記チャンバと正確に位置合わせするための凹部が形成されていることを特徴とする装置。
【請求項１２】
各ブロックの１つの面には、対応する環状突出部が配置される凹部が形成されており、
上記凹部の端壁には段部が形成されている一方、
上記環状突出部の前面には上記段部と対応する段部が形成されており、
上記座金も段部を有しており、
上記座金が使用時に上記端壁と上記環状突出部の前面との間に位置する請求項１１に記載の装置。
【請求項１３】
請求項１〜１２のいずれか１つに記載の装置とともに使用されるダミーブロックであって、
離れる方向に付勢されるが電気的に接続されている１対の間隔の空いた電気接触子が形成されており、
装置のブロックのうちの１つと取り換えられるように構成されて、使用時には装置のチャンバに沿った電流の通過を可能にするダミーブロック。
【請求項１４】
ｐＨが既知の等電位のメンブレンにより区分可能なチャンバを形成する一連のブロックと、
使用時に、上記チャンバの基部に開口された穴が形成されている上記一連のチャンバの各端部に配置される端部チャンバと、
上記ブロック同士を圧着して装置を略液密にする際に用いられる少なくとも２本のタイロッドと、
上記一連のチャンバに電界を印加する際に用いられる電極と、
使用時に装置を搭載可能なプラットフォームを構成するとともに、上記電極に電力を供給するように構成されている電源とを備えている、液体媒体の等電点電気泳動により成分の混合物を分離する装置であって、
上記穴に配置された磁気ディスクと、
上記プラットフォームの床部の下に配置されたソレノイドと、
上記ソレノイドの極性を周期的に反転させて上記磁気プレートを動かす手段とをさらに備えていることを特徴とする装置。
【請求項１５】
上記磁気プレートの反転を防止する一方で上記磁気プレートが上記穴の中央軸に沿って自由に動けるように、上記穴の直径が上記磁気プレートの直径よりも若干大きい請求項１５に記載の装置。
【請求項１６】
上記穴には、上記チャンバの基部と通じる部位において、上記穴から上記プレートが出るのを防ぐ寸法を有する内部フランジが形成されている請求項１５又は１４に記載の装置。
【請求項１７】
請求項１〜１３のいずれか１つに記載の装置のチャンバ内に収められた流体を攪拌する方法であって、
上記ブロックのチャンバの下に位置するとともに該チャンバに開口される穴を設け、
上記穴内に、強磁性ディスクの形で構成された攪拌手段を設け、
操作時に上記穴及び磁気ディスクの下に配置されるソレノイドを設け、
上記ソレノイドの極性を周期的に反転させて上記磁気プレートを動かす方法。
【発明の詳細な説明】
【技術分野】
【０００１】
本発明は、改良型の電気泳動装置、特に一般的に“電解槽”と呼ばれる型の装置に関するものである。
【背景技術】
【０００２】
本発明の出願人の名の下に提出された国際特許出願ＰＣＴ／ＡＵ００／０１３９１号は、このような電解槽と、この電解槽を、予備的な分別の後、細胞ライセート全体、体液及び組織抽出液等において一般に見られる非常に複雑なタンパク質／ペプチド混合物からの分画物を分離するために用いる方法とに関する。
【０００３】
この出願は、等電位のメンブレンにより区分された一連のチャンバの形をとり、この一連のチャンバの両端に端部チャンバが配置されている電解槽を開示している。この一連のチャンバに電界を印加する電極手段が設けられている。液体を再循環させることなくチャンバ内の全ての液体媒体を攪拌する手段も開示されている。この攪拌手段は、通常、電磁攪拌機である。
【０００４】
（発明の開示）
本発明は、その全体的な内容が参照によりここに援用される、ＰＣＴ／ＡＵ００／０１３９１号に開示されている型の装置の改良を対象としている。
【０００５】
本願明細書中に含まれる文献、作用、材料、装置、物品等についての議論はいずれも、本発明の背景を示すためだけのものである。これらの事柄のいずれか又は全ては、本願の各請求項の優先日以前にオーストラリアにおいて存在するために、従来技術の基本の一部を構成している、又は本発明の関連分野に共通の一般常識であると解釈されるべきではない。
【０００６】
第１の態様において本発明は、
ｐＨが既知の等電位のメンブレンにより区分可能なチャンバを形成する一連のブロックと、
上記一連のチャンバの各端部に配置された端部チャンバと、
上記ブロック同士を互いに圧着して装置を略液密にする際に用いられる少なくとも２本のタイロッドと、
上記一連のチャンバに電界を印加する際に用いられる電極とを備えている、液体媒体の等電点電気泳動により成分の混合物を分離する装置であって、
上記タイロッドのうちの少なくとも１本は導電性であって、装置の一方の端部に位置する電極から装置の反対側の端部へ電流を流すことを特徴とする装置を提供する。
【０００７】
電流を流すために上記タイロッドを用いることにより、上記電極に電力を供給する電源ソケットを装置の同じ端部に配置することが可能になる。
【０００８】
これにより、装置の使用がより容易になるという利点が得られる。電気接続部を全て装置の一方の端部に設けることにより、装置は、多目的のプラットフォームによる電源上や、上記プラットフォームの一方の側のみに沿って電気接触子を設ける冷却システム上において好適に用いられる。
【０００９】
上記導電性のタイロッドは、鋼鉄製ロッドであることが好ましく、その長さ方向に沿った大部分が絶縁体に覆われていることが最も好ましい。
【００１０】
通常、上記タイロッドのうちの１本のみが電気を伝えるために用いられるが、上記タイロッドは４本存在することが好ましい。
【００１１】
本発明の第２の態様は、メンブレンにより区分可能でありかつ水密の構成に互いに圧着が可能なチャンバを形成する一連のブロックを備えているとともに、端部ブロックを備えており、この端部ブロック間において、上記一連のチャンバが、上記ブロックを通して延びる複数のタイロッドによって保持可能になっている、液体媒体の等電点電気泳動により成分の混合物を分離する装置であって、上記タイロッドに張力をかけるとともに、液密となるように上記端部ブロック間において上記チャンバを互いに圧着するレバー操作式の圧着機構が設けられていることを特徴とする装置を提供する。
【００１２】
特に好適な実施形態において、上記各タイロッドの一端は、装置の一方の端部ブロックに対して固定されている。上記各タイロッドの他端には拡大端部が形成されている。装置の他方の端部ブロックは、ハウジングと、該ハウジングに対して移動可能なプレートとを備えている。上記プレートは、上記タイロッドの先端部を受け入れるように構成された一連の鍵穴状の自由な開口が形成されているとともに、そのタイロッドの拡大部と係合する。圧着手段がカム機構等により上記プレートを上記ハウジングに対して移動させるように構成されている。
【００１３】
特に好適な実施形態では、上記ブロック及び上記プレートは断面において略矩形であり、横断面において通常は正方形である。上記タイロッドの先端部と上記プレートとの係合は、ねじり嵌めによるものであり、上記タイロッドが挿入される上記プレートは、装置に対して回転可能にオフセットされ、該プレートの断面と上記ブロックとが位置合わせされて、上記鍵穴状開口の狭幅部の後方で上記拡大部に係合するように回転可能になっている。
【００１４】
レバーの使用により、装置の組立ては、蝶ナットに頼ってタイロッドに張力をかける従来の方法よりも大幅に迅速化されるとともに、より大きな圧力をかけることが可能となるので、装置の密閉性が向上する。
【００１５】
さらに、別の態様において本発明は、チャンバを形成する一連のブロックを備えており、上記チャンバは、上記ブロックの前面及び後面において開口しているとともに、隣接する上記ブロック間に配置されたメンブレンにより区分可能になっており、上記ブロックは、水密の構成に互いに圧着可能になっている、液体媒体の等電点電気泳動により成分の混合物を分離する装置であって、上記メンブレンは座金に保持されており、この各座金には、メンブレンを受け入れかつ該メンブレンを上記チャンバと正確に位置合わせするための凹部が形成されていることを特徴とする装置を提供する。
【００１６】
通常、各ブロックの１つの面には、対応する環状突出部が配置される凹部が形成されており、上記凹部の端壁には段部が形成されている一方、上記環状突出部の前面には上記段部と対応する段部が形成されており、上記座金も段部を有しており、上記座金は使用時に上記端壁と上記環状突出部の前面との間に位置する。
【００１７】
通例、装置は、一定数のチャンバブロック、典型的には７つのチャンバブロックを受け入れるように設計されるが、チャンバの数をより少なくする必要がある場合もある。
【００１８】
そこで、これに関連する態様において、本発明はダミーブロックを提供する。上記ダミーブロックには、離れる方向に付勢されるが電気的に接続されている１対の間隔の空いた電気接触子が形成されており、ダミーブロックは、装置のチャンバブロックのうちの１つと取り換えられるように構成されて、使用時には装置のチャンバに沿った電流の通過を可能にする。
【００１９】
また、本発明は、装置のチャンバ内に収められた流体を攪拌する斬新な方法を提供する。本発明のこの態様において、上記ブロックのチャンバの下に、該チャンバに開口する穴を設ける。攪拌手段は磁気ディスクであり、上記攪拌手段を作動する手段は、操作時に上記磁気ディスクの下に配置されるソレノイドを備えている。通常、このソレノイドは、使用中の装置に必要な冷却及び電力を供給するプラットフォーム内に配置される。上記ソレノイドの極性を周期的に反転させることにより、上記磁気プレートが動かされる。
【００２０】
単一のソレノイドがこの機能を果たすことも可能であるが、複数のソレノイドを設けることもできる。
【００２１】
特に好適な実施形態において、上記磁気プレートの反転を防止する一方で上記磁気プレートが上記穴の（垂直）軸に沿って自由に動けるように、上記磁気プレートは、該プレートが配置される上記穴よりも僅かに小さいハウジング内に収められる。上記磁気プレートが上記穴から出ることを防ぐために、上記穴の上部は部分的に閉じられていることが好ましい。
【発明を実施するための最良の形態】
【００２２】
以下、添付図面を参照しながら、本発明の具体的な実施形態を単なる一例として説明する。図面を参照する。図１は、符号１０で全体的に表わされる、組立後の複数に区分された電解槽装置を示している。この装置は、端部ブロック１４，１６の間に圧着された７つの同様のチャンバブロック１２を備えている。
【００２３】
図２〜図４は、チャンバブロック１２をさらに詳細に示している。各チャンバブロックは、側／横断面において略正方形であるとともに、ブロックの中央領域にチャンバ１８が形成されるように略中空になっている。図３において最も良く示されるように、ブロックの（前側）端面２２から環状リング部２０が突出している。その反対側の（後側）端面２４には、隣接するブロックの突出リング部を受け入れるように構成された対応する凹部が形成されている。図３に示すように、端と端を接して複数のブロックが係合される場合、貫通孔が形成される。各ブロックの端面の隅部近傍には４つの狭い貫通孔２５が形成されている。これらの貫通孔２５は、図６及び図７に最も良く示されるタイロッド４０を受け入れるようになっており、これらのタイロッド４０は、孔同士の位置合わせやチャンバ同士の連結及び圧接に用いられる。
【００２４】
各チャンバブロックの前面２２には２つの円筒状突出部２８がさらに形成されており、これらの突出部２８は、隣接するブロックの後面に位置している対応する凹部に受け入れられ、それによりブロックの正確な位置合わせが確実なものとなる。
【００２５】
各ブロックの上部３０には、チャンバ１８内にサンプルを入れるための開口３２の形で構成されたサンプル入口が設けられている。各ブロックの上部は蓋３４で閉鎖される。各チャンバには、略円筒状の浅い穴又は凹部３６がさらに形成されており、この穴は、通常、サンプル入口３２と同軸である。使用時、この穴は、周期的に極性が反転するソレノイドにより生じる磁界中に置かれたときに攪拌子として機能する磁気ディスクを受け入れる。また、標準的な双極性の電磁攪拌子を用いてもよい。
【００２６】
後面に形成された円筒状凹部は、座金とメンブレンとの組立体３８を受け入れるように構成されている。図５において最も良く示されるように、座金とメンブレンとの組立体は、ゴム又は他の適切な材料で構成可能な２つの段付き座金と、これら２つの座金の間に位置して保持され、使用時にチャンバ１８の一方の端部を閉鎖する円形のメンブレン又は隔膜３９とを備えている。チャンバ／ブロックの壁部から離れた位置において、これらの段付き座金が隔膜を保持することにより、密閉性が向上するとともに、本装置の組立てが容易となる。２つのブロックが図４に示すように並置されている場合、メンブレンは隔壁として機能するとともに、隣接するブロックのチャンバ１８から対応するチャンバ１８を区分することが容易に理解される。これらの異なるチャンバ間の隔膜は、支持体となるガラス繊維又はその他の適切な材料上に流し込み成形された、等電位の緩衝用のメンブレンである。さらに密閉性を高めるためにメンブレン／座金の外側にＯリングを配設してもよい。このようなメンブレンは、流体の流れを防ぎ、適切なｐＨ制御を保証する。
【００２７】
複数に区分された電解槽装置は、以下にさらに詳細に説明するように、隣接するチャンバ間に隔膜／隔壁を配置し、各チャンバブロックの位置合わせされた孔を通してタイロッドを挿入し、端部ブロック１４，１６間のチャンバブロック同士を圧接することにより組み立てられる。
【００２８】
次に、圧着機構をさらに詳細に説明する。４本のタイロッド４０のそれぞれの一端は、各チャンバブロック１２の孔２５にタイロッド４０を同時に挿入するために、本装置の一方の端部ブロック１６内に間隔を空けて正しい向きに埋入される。
【００２９】
図７〜図９を参照しながら本装置の他方の端部ブロック１４を最良の形で説明する。この端部ブロック１４は、該端部ブロックのハウジング４４に対して移動可能な略正方形のプレート４２を備えており、ハウジング４４は、使用時に、隣接するシリンダブロック１２に対して係合する。明確化のために、図７は、取り出されたハウジングの一部を示している。端部ブロック４２には、該ブロックの各隅において鍵穴状開口４３が形成されているため、合計で４つの鍵穴状開口４３が存在する。鍵穴状開口は、比較的に広幅の部分４６と、比較的に狭幅の部分４８とを有している（図８を参照）。各タイロッドは、上記ブロック１６から離れた端部に拡大部５０を有している。拡大部５０は、鍵穴状開口４３の広幅部４６を貫通するには十分に小さいものの、これらの鍵穴状開口４３の狭幅部４８を貫通するには大き過ぎる。鍵穴状開口の狭幅部４８がプレートの隅を通る対角線“Ｄ”上に位置し、かつ鍵穴の広幅部が全て対角線に対して角度“α”だけ回転された位置にくるように、これらの鍵穴状開口は位置合わせされる（図８を参照）。これにより、プレートとタイロッドとの差し込み式の係止が可能となる。すなわち、まず、チャンバブロック１４の断面に対して角度“α”だけオフセットされるように、プレート４２が位置合わせされて、タイロッドが鍵穴状開口を貫通した後、正方形のプレート４２は、その向きがチャンバブロック１２の向きと合うように角度αだけ回転させられる。このような位置付けにより、タイロッドは、その拡大部５０が鍵穴状開口の狭幅部４８を貫通できないので、プレートの後方で固定される。プレート４２には金属製ロッドによってレバー６０が連結されている。そして、このレバーを開放したときに、プレートが略チャンバブロック１２の方に向かって移動する一方で、レバーを図７に示す位置に閉じたときに、プレートがチャンバブロック１２から引き離され、それによりタイロッドに張力がかけられ、端部ブロック１６と端部ブロック１４のハウジング４４との間のチャンバ同士が圧接されるようにする、カム手段又はその他の適切な機構が設けられている。
【００３０】
図６は、導電性の電極であるタイロッド４０Ａのうちの１本と電気的に接触する可撓性及び弾性のコネクタ７０を示している。このコネクタは電源の正極と接続されており、使用時に電流がこのタイロッドを通じて正電極（図示せず）に流れる。図９は、端部ブロック１４内に位置する負電極（図示せず）へのコネクタ７２を示している。これにより、正及び負の両方の電気接続部を１つのソケット７６における電解槽の一方の端部に配置することが可能となる（図１を参照）。
【００３１】
本発明のさらに斬新な特徴は、図１０及び図１２に示されるダミーブロック８０の使用である。ダミーブロックは、チャンバブロックと略同様の形状及びサイズであり、タイロッドを受け入れるための４つの孔２５が形成されている。しかしながら、ダミーブロックには、チャンバの代わりに、接触板８２と接触ピン８４とが導電性のバネ手段８６によって互いに離れる方向に付勢されて設けられている。電気泳動による分離が６つ以下のチャンバを用いて行われる場合、“欠けている”分のチャンバブロックに取って代わって、本装置にはダミーブロックがそれぞれ挿入される。
【００３２】
図１３〜図１７は、電源／プラットフォーム１００上に配設された本発明の装置を示している。図１３は、ベルト１０７により駆動される回転可能な回転台１０４上に装着された磁石１０６が見えるように、プラットフォームの上板１０２が取り除かれた状態を示している。使用時、磁石の回転に伴い、電解槽のブロックのチャンバの穴内に位置する双極性の電磁攪拌子が回転し、チャンバの内容物が攪拌される。プラットフォーム１００は、アルミニウム製の上板１０２と、この板を冷却するペルチェ１０８と、このペルチェを冷却するファン（図示せず）とを備えている。
【００３３】
本発明は、図１８に示される別の斬新な攪拌機構を提供する。図示されるように、ソレノイド１２０はブロックの穴３６の下に配置されており、穴３６はその内径よりも狭い上部入口３６ａを有している。この穴内には攪拌手段１３０が配置されており、この攪拌手段１３０は、プラスティック製の被覆物１３４等の中に収められた磁気プレート１３２を備え、その外周端部には、穴内での攪拌子の反転を防止する環状円筒部１３６が形成されている。ソレノイド１２０の極性の周期的な反転によって、攪拌手段１３０は穴内において上方及び下方に動かされ、その結果、チャンバの内容物が攪拌される。
【００３４】
当業者であれば、広く説明したような本発明の意図又は範囲から逸脱することなく、具体的な実施形態に示すような本発明に対して数多くの様々な変形及び／又は変更を施すことも可能であることが理解される。従って、本実施形態は、全ての点において限定的ではなく例示的であるとみなされるべきである。
【図面の簡単な説明】
【００３５】
【図１】本発明を具現化した装置の斜視図である。
【図２】図１に示す装置の一部を構成するチャンバブロックの斜視図である。
【図３】互いに係合された２つのチャンバブロックの底部平面図である。
【図４】図３の線IV‐IVで切った断面図である。
【図５ａ】図１の装置の一部を構成する段付き座金の斜視図である。
【図５ｂ】図１の装置の一部を構成する段付き座金の正面図である。
【図５ｃ】図１の装置の一部を構成する段付き座金の断面図である。
【図６】特に一方の端部ブロック内部の特徴を示す、本発明を具現化した装置の一部の斜視図である。
【図７】端部ブロックのハウジングの一部が取り出された、図１に示す装置の端面図である。
【図８】プレートの端面図である。
【図９】導電性のタイロッドのコネクタを示す端部のプレートの斜視図である。
【図１０】ダミーブロックの斜視図である。
【図１１】図１０のダミーブロックの前面図である。
【図１２】図１１の線XII‐XIIで切った断面図である。
【図１３】上板が取り除かれたプラットフォーム上に配置されている図１の装置を示す図である。
【図１４】図１３のプラットフォームの上部平面図である。
【図１５】完全なプラットフォーム上に配置されている図１の装置の上部平面図である。
【図１６】図１５のXVI‐XVIで切った断面図である。
【図１７】図１６の一部の拡大図である。
【図１８】本装置の別の攪拌機構を示す図である。
【図１】
2005504306.tif 000003
【図２】
2005504306.tif 000004
【図３】
2005504306.tif 000005
【図４】
2005504306.tif 000006
【図５ａ】
2005504306.tif 000007
【図５ｂ】
2005504306.tif 000008
【図５ｃ】
2005504306.tif 000009
【図６】
2005504306.tif 000010
【図７】
2005504306.tif 000011
【図８】
2005504306.tif 000012
【図９】
2005504306.tif 000013
【図１０】
2005504306.tif 000014
【図１１】
2005504306.tif 000015
【図１２】
2005504306.tif 000016
【図１３】
2005504306.tif 000017
【図１４】
2005504306.tif 000018
【図１５】
2005504306.tif 000019
【図１６】
2005504306.tif 000020
【図１７】
2005504306.tif 000021
【図１８】
2005504306.tif 000022
【国際公開パンフレット】
2005504306.tif 000023
2005504306.tif 000024
2005504306.tif 000025
2005504306.tif 000026
2005504306.tif 000027
2005504306.tif 000028
2005504306.tif 000029
2005504306.tif 000030
2005504306.tif 000031
2005504306.tif 000032
2005504306.tif 000033
2005504306.tif 000034
2005504306.tif 000035
2005504306.tif 000036
2005504306.tif 000037
2005504306.tif 000038
2005504306.tif 000039
2005504306.tif 000040
2005504306.tif 000041
2005504306.tif 000042
2005504306.tif 000043
【手続補正書】
【提出日】平成15年3月11日(2003.3.11)
【手続補正１】
【補正対象書類名】特許請求の範囲
【補正対象項目名】全文
【補正方法】変更
【補正の内容】
【特許請求の範囲】
【請求項１】
ｐＨが既知の等電位のメンブレンにより区分可能なチャンバを形成する一連のブロックと、
上記一連のチャンバの各端部に配置された端部チャンバと、
上記ブロック同士を互いに圧着して装置を略液密にする際に用いられる少なくとも２本のタイロッドと、
上記一連のチャンバに電界を印加する際に用いられる電極とを備えている、液体媒体の等電点電気泳動により成分の混合物を分離する装置であって、
上記タイロッドのうちの少なくとも１本は導電性であって、装置の一方の端部に位置する電極から装置の反対側の端部へ電流を流すことを特徴とする装置。
【請求項２】
上記導電性のタイロッドは、その長さ方向に沿った大部分が絶縁体に覆われた金属製ロッドである請求項１に記載の装置。
【請求項３】
上記導電性のタイロッドは鋼鉄製ロッドである請求項２に記載の装置。
【請求項４】
４本のタイロッドを備えている請求項１〜３のいずれか１つに記載の装置。
【請求項５】
メンブレンにより区分可能であり且つ水密の構成に互いに圧着可能なチャンバを形成する一連のブロックを備えているとともに、端部ブロックを備えており、
上記端部ブロック間において、上記一連のチャンバが、上記ブロックを貫通して延びる複数のタイロッドによって保持可能になっている、液体媒体の等電点電気泳動により成分の混合物を分離する装置であって、
上記タイロッドに張力をかけるとともに、液密となるように上記端部ブロック間において上記チャンバを互いに圧着するレバー操作式の圧着機構が設けられていることを特徴とする装置。
【請求項６】
上記タイロッドに張力をかけるとともに、液密となるように上記端部ブロック間において上記チャンバを互いに圧着するレバー操作式の圧着機構が設けられている請求項１〜４のいずれか１つに記載の装置。
【請求項７】
上記各タイロッドの一端は、装置の一方の端部ブロックに対して固定されている請求項５〜６のいずれか１つに記載の装置。
【請求項８】
上記各タイロッドの他端には、拡大端部が形成されており、
装置の他方の端部ブロックは、ハウジングと、該ハウジングに対して移動可能なプレートとを備えており、
上記プレートには、上記タイロッドの先端部を受け入れるように構成された一連の開口が形成されているとともに、上記タイロッドの拡大部と係合し、
上記圧着手段は、カム機構等により上記プレートを上記ハウジングから離して上記ロッドに張力をかけるように構成されている請求項７に記載の装置。
【請求項９】
上記開口は、略鍵穴状である請求項８に記載の装置。
【請求項１０】
上記タイロッドの先端部と上記プレートとの係合は、ねじり嵌めによるものであり、
上記タイロッドが挿入される上記プレートは、装置に対して回転可能にオフセットされるとともに、該プレートの断面と上記ブロックとが位置合わせされて、上記鍵穴状開口の狭幅部の後方で上記タイロッドの拡大部に係合するように回転可能になっている請求項９に記載の装置。
【請求項１１】
チャンバを形成する一連のブロックを備えており、
上記チャンバは、上記ブロックの前面及び後面において開口しているとともに、隣接する上記ブロック間に配置されたメンブレンにより区分可能になっており、
上記ブロックは、水密の構成に互いに圧着可能になっている、液体媒体の等電点電気泳動により成分の混合物を分離する装置であって、
上記メンブレンは座金に保持されており、
上記各座金には、メンブレンを受け入れかつ該メンブレンを上記チャンバと正確に位置合わせするための凹部が形成されていることを特徴とする装置。
【請求項１２】
各ブロックの１つの面には、対応する環状突出部が配置される凹部が形成されており、
上記凹部の端壁には段部が形成されている一方、
上記環状突出部の前面には上記段部と対応する段部が形成されており、
上記座金も段部を有しており、
上記座金は使用時に上記端壁と上記環状突出部の前面との間に位置する請求項１１に記載の装置。
【請求項１３】
請求項１〜１２のいずれか１つに記載の装置とともに使用されるダミーブロックであって、
離れる方向に付勢されるが電気的に接続されている一対の間隔の空いた電気接触子が形成されており、
装置のブロックのうちの１つと取り換えられるように構成されて、使用時には装置のチャンバに沿った電流の通過を可能にするダミーブロック。
【請求項１４】
ｐＨが既知の等電位のメンブレンにより区分可能なチャンバを形成する一連のブロックと、
使用時に、上記チャンバの基部に開口された穴が形成されている上記一連のチャンバの各端部に配置される端部チャンバと、
上記ブロック同士を圧着して装置を略液密にする際に用いられる少なくとも２本のタイロッドと、
上記一連のチャンバに電界を印加する際に用いられる電極と、
使用時に装置を搭載可能なプラットフォームを構成するとともに、上記電極に電力を供給するように構成されている電源とを備えている、液体媒体の等電点電気泳動により成分の混合物を分離する装置であって、
上記穴に配置された磁気ディスクと、
上記プラットフォームの床部の下に配置されたソレノイドと、
上記ソレノイドの極性を周期的に反転させて上記磁気プレートを動かす手段とをさらに備えていることを特徴とする装置。
【請求項１５】
上記磁気プレートの反転を防止する一方で上記磁気プレートが上記穴の中央軸に沿って自由に動けるように、上記穴の直径が上記磁気プレートの直径よりも若干大きい請求項１４に記載の装置。
【請求項１６】
上記穴には、上記チャンバの基部と通じる部位において、上記穴から上記プレートが出るのを防ぐ寸法を有する内部フランジが形成されている請求項１５又は１４に記載の装置。
【請求項１７】
請求項１〜請求項１３のいずれか１つに記載の装置のチャンバ内に収められた流体を攪拌する方法であって、
上記ブロックのチャンバの下に位置するとともに該チャンバに開口される穴を設け、
上記穴内に、強磁性ディスクの形で構成された攪拌手段を設け、
操作時に上記穴及び磁気ディスクの下に配置されるソレノイドを設け、
上記ソレノイドの極性を周期的に反転させることにより、上記磁気プレートを動かす方法。
【国際調査報告】
2005504306.tif 000044
2005504306.tif 000045